(57)【要約】      （修正有）【課題】スライダーを安定して保持することができ、スライダーに引手を的確に取り付けることが可能なスライダーかしめ用アタッチメント及びスライダーかしめ用工具を提供する。【解決手段】スライドファスナー用のスライダーの引手取付部１０４をかしめて変形させることで、引手１１０をスライダーに取り付けるためのスライダーかしめ用アタッチメント１において、スライダーかしめ用アタッチメント１は、スライダーを載せる第１狭持部材１０と、第１狭持部材に載せられるスライダーを押圧する第２狭持部材２０と、スライダーの位置決めを行う位置決め部材３０と、を備える。【選択図】図１
0003203337.tif 000002
【実用新案登録請求の範囲】
【請求項１】
スライドファスナー用のスライダー（１００）の引手取付部（１０４）をかしめて変形させることで、引手（１１０）をスライダー（１００）に取り付けるためのスライダーかしめ用アタッチメント（１）において、
スライダー（１００）を載せる第１狭持部材（１０）と、
前記第１狭持部材（１０）に載せられる前記スライダー（１００）を押圧する第２狭持部材（２０）と、
前記スライダー（１００）の位置決めを行う位置決め部材（３０）と、
を備える
ことを特徴とするスライダーかしめ用アタッチメント（１）。
【請求項２】
前記スライダー（１００）は、上翼板（１０２）と、前記上翼板（１０２）と対向して配置される下翼板（１０１）と、前記上翼板（１０２）と前記下翼板（１０１）を一端でつなぐエレメント案内柱（１０３）と、前記上翼板（１０２）の上面において、片持ち状に形成された引手取付部（１０４）と、を有し、
前記第１挟持部材（１０）は、前記スライダー（１００）を載せる第１基部（１１）と、前記位置決め部材（３０）を固定する位置決め部材載置部（１２）を有し、
前記位置決め部材（３０）は、平坦な板状の基部（３１）と、前記基部（３１）から延びる一対の突起（３２，３２）を有し、
前記第１狭持部材（１０）に載せられた前記スライダー（１００）を保持する際、前記突起（３２，３２）の間に前記エレメント案内柱（１０３）が配置される
ことを特徴とする請求項１に記載のスライダーかしめ用アタッチメント（１）。
【請求項３】
前記位置決め部材（３０）は、前記基部（３１）に形成された凸部／凹部からなる嵌め込み部を有し、
前記第１狭持部材（１０）は、前記位置決め部材載置部（１２）に形成された凹部／凸部からなる被嵌め込み部を有し、
前記嵌め込み部と前記被嵌め込み部が嵌合する
ことを特徴とする請求項１又は２に記載のスライダーかしめ用アタッチメント（１）。
【請求項４】
前記位置決め部材（３０）は、前記基部（３１）の上面から突出する規制部（３３）を有し、
前記第２挟持部材（２０）は、第２基部（２１）と、前記第２基部（２１）の長手方向先端から延びる押圧部（２２）を有し、
前記第１挟持部材（１０）と前記第２挟持部材（２０）が接近する際、前記規制部（３３）は、前記第２挟持部材（２０）の前記押圧部（２２）の反対側に接触する
ことを特徴とする請求項１乃至３のいずれか１つに記載のスライダーかしめ用アタッチメント（１）。
【請求項５】
前記規制部（３３）は、前記基部（３１）からの突出寸法が調節可能である
ことを特徴とする請求項４に記載のスライダーかしめ用アタッチメント（１）。
【請求項６】
長手方向において、前記第１狭持部材（１０）、前記第２狭持部材（２０）、及び前記位置決め部材（３０）とは反対側からスライダー（１００）を保持する補助体（４０）を備える
ことを特徴とする請求項１乃至５のいずれか１つに記載のスライダーかしめ用アタッチメント（１）。
【請求項７】
請求項１乃至請求項６のいずれか１つに記載のスライダーかしめ用アタッチメント（１）と、
前記スライダーかしめ用アタッチメント（１）を取り付ける工具本体（２）と、
を備える
ことを特徴とするスライダーかしめ用工具（Ｔ）。
【請求項８】
前記工具本体（２）は、
前記第１狭持部材（１０）を支持する第１工具本体（２ａ）と、
前記第２狭持部材（２０）を支持する第２工具本体（２ｂ）と、
前記第１工具本体（２ａ）と前記第２工具本体（２ｂ）を相対的に所定角度回転可能に支持する軸部材（２ｃ）と、
を有する
ことを特徴とする請求項７に記載のスライダーかしめ用工具（Ｔ）。
【考案の詳細な説明】
【技術分野】
【０００１】
本考案は、スライダー本体に引手を加締めるためのスライダーかしめ用アタッチメント及びスライダーかしめ用工具に関する。
【背景技術】
【０００２】
従来、スライドファスナーのスライダーに引手を取り付けるために、ペンチ等の工具でスライダーの引手保持柱を下圧し、連結部を塑性変形させて、引手保持柱の下面と摺動部の上面を圧着して間隔をとざす技術が開示されている（特許文献１）。
【先行技術文献】
【特許文献】
【０００３】
【特許文献１】実公昭５８−２５８４５号公報
【考案の概要】
【考案が解決しようとする課題】
【０００４】
しかしながら、特許文献１に記載された技術は一般的なペンチ等の工具を用いるため、スライダーの引手保持柱を下圧する際に、工具の平面部分にスライダーを載せているだけなので、スライダーが安定せず、下圧方向がずれる可能性があった。
【０００５】
本考案は、スライダーを安定して保持することができ、スライダーに引手を的確に取り付けることが可能なスライダーかしめ用アタッチメント及びスライダーかしめ用工具を提供することを目的とする。
【課題を解決するための手段】
【０００６】
本考案の一実施形態にかかるスライダーかしめ用アタッチメントは、
スライドファスナー用のスライダーの引手取付部をかしめて変形させることで、引手をスライダーに取り付けるためのスライダーかしめ用アタッチメントにおいて、
スライダーを載せる第１狭持部材と、
前記第１狭持部材に載せられる前記スライダーを押圧する第２狭持部材と、
前記スライダーの位置決めを行う位置決め部材と、
を備える
ことを特徴とする。
【０００７】
本考案の一実施形態にかかるスライダーかしめ用アタッチメントでは、
前記スライダーは、上翼板と、前記上翼板と対向して配置される下翼板と、前記上翼板と前記下翼板を一端でつなぐエレメント案内柱と、前記上翼板の上面において、片持ち状に形成された引手取付部と、を有し、
前記第１挟持部材は、前記スライダーを載せる第１基部と、前記位置決め部材を固定する位置決め部材載置部を有し、
前記位置決め部材は、平坦な板状の基部と、前記基部から延びる一対の突起を有し、
前記第１狭持部材に載せられた前記スライダーを保持する際、前記突起の間に前記エレメント案内柱が配置される
ことを特徴とする。
【０００８】
本考案の一実施形態にかかるスライダーかしめ用アタッチメントでは、
前記位置決め部材は、前記基部に形成された凸部／凹部からなる嵌め込み部を有し、
前記第１狭持部材は、前記位置決め部材載置部に形成された凹部／凸部からなる被嵌め込み部がを有し、
前記嵌め込み部と前記被嵌め込み部が嵌合する
ことを特徴とする。
【０００９】
本考案の一実施形態にかかるスライダーかしめ用アタッチメントでは、
前記位置決め部材は、前記基部の上面から突出する規制部を有し、
前記第２挟持部材は、第２基部と、前記第２基部の長手方向先端から延びる押圧部を有し、
前記第１挟持部材と前記第２挟持部材が接近する際、前記規制部は、前記第２挟持部材の前記押圧部の反対側に接触する
ことを特徴とする。
【００１０】
本考案の一実施形態にかかるスライダーかしめ用アタッチメントでは、
前記規制部は、前記基部（３１）からの突出寸法が調節可能である
ことを特徴とする。
【００１１】
本考案の一実施形態にかかるスライダーかしめ用アタッチメントでは、
長手方向において、前記第１狭持部材、前記第２狭持部材、及び前記位置決め部材とは反対側からスライダーを保持する補助体を備える
ことを特徴とする。
【００１２】
さらに、本考案の一実施形態にかかるスライダーかしめ用工具は、
前記スライダーかしめ用アタッチメントと、
前記スライダーかしめ用アタッチメントを取り付ける工具本体と、
を備える
ことを特徴とする。
【００１３】
さらに、本考案の一実施形態にかかるスライダーかしめ用工具では、
前記工具本体は、
前記第１狭持部材を支持する第１工具本体と、
前記第２狭持部材を支持する第２工具本体と、
前記第１工具本体と前記第２工具本体を相対的に所定角度回転可能に支持する軸部材と、
を有する
ことを特徴とする。
【考案の効果】
【００１４】
本考案にかかるスライダーかしめ用アタッチメント及びスライダーかしめ用工具によれば、スライダーを安定して保持することができ、スライダーに引手を的確に取り付けることが可能となる。
【図面の簡単な説明】
【００１５】
【図１】本考案にかかる実施形態のスライダーかしめ用アタッチメント及びスライダーかしめ用工具を示す。
【図２】本考案にかかる実施形態のスライダーかしめ用アタッチメントの分解図を示す。
【図３】本考案にかかる実施形態の補助体を示す。
【図４】本考案にかかる実施形態のスライダーかしめ用アタッチメントを用いたスライダーかしめ用工具でスライドファスナーに取り付けられたスライダーをかしめる状態を示す。
【図５】本考案にかかる実施形態のスライダーかしめ用アタッチメントを用いたスライダーかしめ用工具でスライダーをかしめる前の状態を示す。
【図６】本考案にかかる実施形態のスライダーかしめ用アタッチメントを用いたスライダーかしめ用工具でスライダーをかしめた後の状態を示す。
【考案を実施するための形態】
【００１６】
以下、図面に基づき本考案にかかる一実施形態のスライダーかしめ用アタッチメント１及びスライダーかしめ用工具Ｔを具体的に説明する。本実施形態のスライダー１００は、スライドファスナー用とする。
【００１７】
図１は、本考案にかかる実施形態のスライダーかしめ用アタッチメント１及びスライダーかしめ用工具Ｔを示す。図２は、本考案にかかる実施形態のスライダーかしめ用アタッチメントの分解図を示す。
【００１８】
本実施形態のスライダーかしめ用工具Ｔは、スライダーかしめ用アタッチメント１と、工具本体２と、を備える。ここで、本件の使用対象であるスライドファスナー用のスライダー１００は、上翼板１０２と、上翼板１０２と対向して配置される下翼板１０１と、上翼板１０２と下翼板１０１を一端でつなぐエレメント案内柱１０３と、から構成される。上翼板１０２の上面には、引手取付部１０４が形成される。引手取付部１０４は、一端が上翼板１０２の前端側に固定され、片持ち状に形成される。引手取付部１０４の他端は、上翼板１０２の後端側に向かって延設される。
【００１９】
工具本体２は、第１工具本体２ａと、第２工具本体２ｂと、第１工具本体２ａと第２工具本体２ｂを回転自在に連結する軸部材２ｃと、を有する。工具本体２は、ペンチ又はニッパー等のように、対象物を第１工具本体２ａと第２工具本体２ｂの先端で挟むような構造を有する。例えば、第１工具本体２ａと第２工具本体２ｂは、軸部材２ｃを中心として交差するように取り付けられる。したがって、工具本体２は、第１工具本体２ａと第２工具本体２ｂの各々の一端側を接近させるように握ると、第１工具本体２ａと第２工具本体２ｂが軸部材２ｃを中心に回転し、各々の他端側（先端側）が接近するように動作する。これにより、対象物を狭持することが可能となる。ここで、第１工具本体２ａと第２工具本体２ｂの一端側と他端側を前後方向（長手方向、摺動方向とも言う）、第１工具本体２ａと第２工具本体２ｂが接近／離反する方向を上下方向、前後方向及び上下方向と直交する方向を左右方向（幅方向とも言う）とする。
【００２０】
本実施形態の工具本体２は、スライダーかしめ用アタッチメント１が取り付けられ、アタッチメント１によりスライダー１００を上下方向から狭持する。アタッチメント１は、工具本体２に対して交換することが可能であるため、異なる寸法や形状のスライダー１００に対応することが可能となる。
【００２１】
スライダーかしめ用アタッチメント１は、第１狭持部材１０と、第２狭持部材２０と、位置決め部材３０と、補助体４０と、を有する。
【００２２】
第１狭持部材１０は、第１基部１１と、位置決め部材載置部１２と、第１支持部１３と、を有する。
【００２３】
第１基部１１は、上面が平坦に形成され、かしめ時にスライダー１００を載せることが可能である。位置決め部材載置部１２には、後述する位置決め部材３０が固定される。位置決め部材載置部１２は、上面が平坦に形成され、第１基部１１に対して上方に突出する。そのため、位置決め部材載置部１２は、第１基部１１に比べて上下方向の寸法が大きく、第１基部１１と位置決め部材載置部１２の境界には段差が形成される。
【００２４】
位置決め部材載置部１２の上面には、一端から他端に延びる凹部１２ａが形成され、後述する位置決め部材３０に形成された凸部３１ａが嵌め込まれる。第１支持部１３は、第１基部１１と位置決め部材載置部１２の下面から突出して設けられ、工具本体２に取り付けられる。
【００２５】
第１支持部１３は、第１狭持部材１０を工具本体２の第１工具本体２ａに取り付けるための第１取付部１３ａを有する。本実施形態の第１取付部１３ａは、ボルトによって構成される。第１取付部１３ａは、複数の位置に設けられてもよい。これにより、第１工具本体２ａに対する固定強度が向上する。また、第１工具本体２ａに対する第１狭持部材１０の位置が変更可能となる。
【００２６】
第２狭持部材２０は、第２基部２１と、押圧部２２と、規制面２３と、第２支持部２４と、を有する。
【００２７】
第２基部２１は、平坦な板状の部分である。押圧部２２は、かしめ時にスライダー１００の引手取付部１０４に接触して塑性変形させることが可能である。押圧部２２は、第２基部２１の先端側（他端側）から第１狭持部材１０と対向する方向に突出する。押圧部２２の下面には、押圧部２２の上下方向の寸法が、一端側から他端側に向かって漸増するよう、傾斜面が形成される。このため、押圧部２２の上下方向の寸法は、先端が最も大きくなる。押圧部２２の下面（スライダー１００の引き手取付部１０４に接触する部分）には、引手取付部１０４に傷がつかないように、弾性体（スポンジ、ゴムなど）を取り付けてもよい。
【００２８】
第２支持部２４は、少なくとも第２基部２１の上面から突出して設けられ、工具本体２に取り付けられる。第２支持部２４は、第２狭持部材２０を工具本体２の第２工具本体２ｂに取り付けるための第２取付部２４ａを有する。
【００２９】
本実施形態の第２取付部２４ａは、ボルトによって構成される。第２取付部２４ａは、複数の位置に設けられてもよい。これにより、第２工具本体２ｂに対する固定強度が向上する。また、第２工具本体２ｂに対する第２狭持部材２０の位置が変更可能となる。
【００３０】
なお、第２狭持部材２０は、複数の大きさを揃え、スライダー１００の寸法や形状にあわせて取り替えて使用してもよい。
【００３１】
位置決め部材３０は、第３基部３１と、突起３２と、規制部３３と、を有する。
【００３２】
第３基部３１は、平坦な板状の部分である。第３基部３１の下面には、一端から他端に延びる凸部３１ａが形成され、第１狭持部材１０の位置決め部材載置部１２に形成された凹部１２ａに嵌め込まれる。第３基部３１は、位置決め部材３０を第１狭持部材１０に取り付けるための第３取付部３１ｂを有する。本実施形態の第３取付部３１ｂは、ボルトによって構成される。
【００３３】
突起３２は、位置決め部材３０が位置決め部材載置部１２に載せられた際に、第３基部３１から第１基部１１（第１工具本体２ａの先端）に向かって延びる。突起３２の先端には、スライダー１００の板翼板１０１を保持するための段差からなる保持部３２ａが形成される。突起３２を設けることで、スライダー１００を安定して保持することが可能となる。
【００３４】
規制部３３は、第３基部３１の上面から突出して形成される。規制部３３は、スライダー１００のかしめ時に、第２工具本体２ｂ又は第２狭持部材２０に接触する。これにより、第１狭持部材１０と第２狭持部材２０の上下方向における間隔を調節することができ、スライダー１００に過度の力がかからないようにする。規制部３３は、上下方向において、高さ（第３基部３１からの突出寸法）を調節できる構造（例：ボルト）が好ましい。これにより、規制部３３の高さを容易に調節でき、異なる寸法や形状のスライダー１００に対応することが可能となる。なお、位置決め部材３０は、複数の大きさを揃え、スライダー１００の寸法や形状にあわせて調節できるように、取り替えて使用してもよい。
【００３５】
このように、スライダーかしめ用アタッチメント１は、スライダー１００を載せる第１狭持部材１０と、第１狭持部材１０に載せられるスライダー１００を押圧する第２狭持部材２０と、第１狭持部材１０に載せられる位置決め部材３０と、を備えるので、スライダー１００を安定して保持することができ、スライダー１００の引手取付部１０４をかしめて塑性変形させることで、スライダー１００に引手１１０を的確に取り付けることが可能となる。
【００３６】
図３は、本考案にかかる実施形態の補助体４０を示す。
【００３７】
補助体４０は、スライダー１００の引手取付部１０４をかしめる際、第１狭持部材１０、第２狭持部材２０、及び位置決め部材３０とは反対側（エレメント案内柱１０３の反対側であり、スライダー１００の後端側）に配置される。補助体４０は、平坦な板状の本体４１と、本体４１の長手方向の一端において幅方向の両端から長手方向に突出する延設部４２と、延設部４２の下方からそれぞれ左右方向内側に延びる片部４３と、を有する。片部４３は、スライダー１００の後端から、上翼板１０２と下翼板１０１の間に挿通される。この際、片部４３は、上翼板１０２の下面と、ファスナーテープ１２１の上面の間に配置される。これにより、スライダー１００の引手取付部１０４をかしめる際、スライダー１００に過度の力がかかり、上翼板１０２と下翼板１０１の後端同士が接近することが抑制される。延設部４２の間には、スライダー１００の後端が配置される。これにより、スライダー１００の後端が左右方向に移動することが抑制される。なお、補助体４０は、複数の大きさを揃え、スライダー１００の寸法や形状にあわせて取り替えて使用してもよい。このように、反対側からスライダー１００を支える補助体４０を備えるので、スライダー１００の引手取付部１０４をより安定してかしめて塑性変形させることが可能となる。
【００３８】
次に、本考案にかかる実施形態のスライダーかしめ用アタッチメント１を用いたスライダーかしめ用工具Ｔの使用方法について説明する。
【００３９】
図４は、本考案にかかる実施形態のスライダーかしめ用アタッチメント１を用いたスライダーかしめ用工具Ｔでスライドファスナー１３０に取り付けられたスライダー１００をかしめる状態を示す。
【００４０】
本実施形態のスライダーかしめ用工具Ｔは、一対のファスナーテープ１２１と、ファスナーテープ１２１の各対向縁にエレメント１２２が取り付けられて構成される一対のファスナーチェーン１２０に対して、スライダー１００が取り付けられたスライドファスナー１３０に用いることが可能である。また、スライドファスナー１３０が服又は鞄等の製品の生地に縫製された後にも用いることが可能である。この場合、図４に示すように、エレメント１２２が離間している部分からスライダーかしめ用工具Ｔを挿入し、スライダー１００をスライダー載置部１１に載せればよい。すなわちエレメント１２２の両端が止具１２３で止められている場合であっても、スライダー１００の前端側から、スライダー１００を上下方向から挟持することができる。そのため、スライダー１００の引手取付部１０４をより安定してかしめることが可能となる。
【００４１】
なお、まだファスナーチェーン１２０に取り付けられていないスライダー１００に対して引手１１０を取り付け、その後、スライダー１００をファスナーチェーン１２０に取り付けてスライドファスナー１３０としてもよい。
【００４２】
図５は、本考案にかかる実施形態のスライダーかしめ用アタッチメント１を用いたスライダーかしめ用工具Ｔでスライダー１００をかしめる前の状態を示す。
【００４３】
まず、スライダーかしめ用アタッチメント１を工具本体２に取り付ける。第１狭持部材１０は、第１支持部１３が第１取付部１３ａ（例：ボルト）によって締結されることで、第１工具本体２ａに取り付けられる。第２狭持部材２０は、第２支持部２４が第２取付部２４ａ（例：ボルト）によって締結されることで、第２工具本体２ｂに取り付けられる。位置決め部材３０は、第１狭持部材１０の位置決め部材載置部１２に取り付けられる。
【００４４】
次に、スライダー１００を第１狭持部材１０のスライダー載置部１１に載せる。スライダー１００の一方側の下翼板１０１は、位置決め部材３０の突起３２に形成された保持部３２ａに嵌め込まれる。この時、突起３２は、一方側の下翼板１０１と上翼板１０２の間に挿入され、両突起３２の間にエレメント案内柱１０３が保持される。なお、突起３２が左右一対に形成されている場合、突起３２に保持部３２ａが形成されていなくても構わない。この場合、一対の突起３２の間に、スライダー１００のエレメント案内柱１０３が配置されることで、スライダー１００を安定して保持することが可能となる。
【００４５】
補助体４０は、スライダー１００の他方側の下翼板１０１と上翼板１０２の間に挿入される。この時、ファスナーテープ１２１にエレメント１２２が取り付けられたファスナーチェーン１２０を下翼板１０１と上翼板１０２の間に挿入してもよい。
【００４６】
図６は、本考案にかかる実施形態のスライダーかしめ用アタッチメント１を用いたスライダーかしめ用工具Ｔでスライダー１００をかしめた後の状態を示す。
【００４７】
スライダー１００の引手取付部１０４は、一端が片持ち状に固定されて摺動方向に延在するように形成される。引き手１１０は、引手取付部１０４の他端側に環状部１１０ａが位置するように配置される。続いて、第２狭持部材２０の押圧部２２が引手取付部１０４を押圧し過ぎないように規制部３３の高さを調節する。その後、第２狭持部材２０の押圧部２２で引手取付部１０４の他端側を上翼板１０２に近づける方向に押圧し、かしめて塑性変形させる。この結果、環状部１１０ａを介して引手１１０を引手取付部１０４に回動自在に取り付けることができる。そして、引手１１０が引手取付部１０４から容易に抜けなくなるようにすることができる。
【００４８】
なお、本実施形態のスライダーかしめ用工具Ｔは、工具本体２にスライダーかしめ用アタッチメント１が取り付けられ、スライダー１００を狭持する。これに対して、工具本体２とスライダーかしめ用アタッチメント１を一部材で一体に形成して、スライダーかしめ用工具Ｔを構成してもよい。
【００４９】
以上、本実施形態のスライダーかしめ用アタッチメント１によれば、スライドファスナー用のスライダー１００の引手取付部１０４をかしめて変形させることで、引手１１０をスライダー１００に取り付けるためのスライダーかしめ用アタッチメント１において、スライダー１００を載せる第１狭持部材１０と、第１狭持部材１０に載せられるスライダー１００を押圧する第２狭持部材２０と、スライダー１００の位置決めを行う位置決め部材３０と、を備えるので、スライダー１００を安定して保持することができ、スライダー１００に引手１１０を的確に取り付けることが可能となる。
【００５０】
また、本実施形態のスライダーかしめ用アタッチメント１によれば、スライダー１００は、上翼板１０２と、上翼板１０２と対向して配置される下翼板１０１と、上翼板１０２と下翼板１０１を一端でつなぐエレメント案内柱１０３と、上翼板１０２の上面において、片持ち状に形成された引手取付部１０４と、を有し、第１挟持部材１０は、スライダー１００を載せる第１基部１１と、位置決め部材３０を固定する位置決め部材載置部１２を有し、位置決め部材３０は、平坦な板状の基部３１と、基部３１から延びる一対の突起３２，３２を有し、第１狭持部材１０に載せられたスライダー１００を保持する突起３２，３２の間に前記エレメント案内柱１０３が配置されるので、スライダー１００をより安定して保持することが可能となる。
【００５１】
また、本実施形態のスライダーかしめ用アタッチメント１によれば、位置決め部材３０は、基部３１に形成された凸部／凹部からなる嵌め込み部を有し、第１狭持部材１０は、位置決め部材載置部１２に形成された凹部／凸部からなる被嵌め込み部を有し、嵌め込み部と被嵌め込み部が嵌合するので、第１狭持部材１０に対して位置決め部材３０を安定して保持することが可能となる。
【００５２】
また、本実施形態のスライダーかしめ用アタッチメント１によれば、位置決め部材３０は、基部３１の上面から突出する規制部３３を有し、第２挟持部材２０は、第２基部２１と、第２基部２１の長手方向先端から延びる押圧部２２を有し、第１挟持部材１０と第２挟持部材２０が接近する際、規制部３３は、第２挟持部材２０の押圧部２２の反対側に接触するので、スライダー１００のかしめ時に、所定の位置で規制部３３が第２工具本体２ｂ又は第２狭持部材２０に接触して移動を規制し、スライダー１００に過度の力がかからないようにすることが可能となる。
【００５３】
また、本実施形態のスライダーかしめ用アタッチメント１によれば、規制部３３は、基部３１からの突出寸法が調節可能であるので、スライダー１００の大きさにあわせて調節することが可能となる。
【００５４】
また、本実施形態のスライダーかしめ用アタッチメント１によれば、長手方向において、第１狭持部材１０、第２狭持部材２０、及び位置決め部材３０とは反対側からスライダー１００を保持する補助体４０を備えるので、スライダー１００をより安定して保持することが可能となる。
【００５５】
さらに、本実施形態のスライダーかしめ用工具Ｔによれば、前記スライダーかしめ用アタッチメント１と、スライダーかしめ用アタッチメント１を取り付ける工具本体２と、を備えるので、スライダー１００を安定して保持することができ、スライダー１００に引手１１０を的確に取り付けることが可能となる。また、アタッチメントを交換して異なる作業に用いることが可能となる。
【００５６】
また、本実施形態のスライダーかしめ用工具Ｔによれば、工具本体２は、第１狭持部材１０を支持する第１工具本体２ａと、第２狭持部材２０を支持する第２工具本体２ｂと、第１工具本体２ａと第２工具本体２ｂを相対的に所定角度回転可能に支持する軸部材２ｃと、を有するので、簡単な構造でスライダー１００をかしめることが可能となる。
【００５７】
以上、本考案の種々の実施形態について説明したが、本考案はこれらの実施形態のみに限られるものではなく、それぞれの実施形態の構成を適宜組み合わせて構成した実施形態も本考案の範疇となるものである。
【符号の説明】
【００５８】
１…スライダーかしめ用アタッチメント
２…工具本体
２ａ…第１工具本体
２ｂ…第２工具本体
２ｃ…軸部材
１０…第１狭持部材
１１…第１基部
１２…位置決め部材載置部
１２ａ…凹部（被嵌め込み部）
１３…第１支持部
１３ａ…第１取付部
２０…第２狭持部材
２１…第２基部
２２…押圧部
２３…規制面
２４…第２支持部
２４ａ…第２取付部
３０…位置決め部材
３１…第３基部
３１ａ…凸部（嵌め込み部）
３２…突起
３２ａ…保持部
３３…規制部
４０…補助体
４１…本体
４２…延設部
４３…片部
１００…スライダー
１０１…下翼板
１０２…上翼板
１０３…エレメント案内柱
１０４…引手取付部
１１０…引手
１１０ａ…環状部
１２０…ファスナーチェーン
１２１…ファスナーテープ
１２２…エレメント
１３０…スライドファスナー
Ｔ…スライダーかしめ用工具
【図１】
0003203337.tif 000003
【図２】
0003203337.tif 000004
【図３】
0003203337.tif 000005
【図４】
0003203337.tif 000006
【図５】
0003203337.tif 000007
【図６】
0003203337.tif 000008